(57)【特許請求の範囲】
【請求項１】
（Ａ）接床基台と、該基台に回動自在に立設された支持ボルトと、該支持ボルトの上部に螺合されたレベル調整用ナットを介して高さ調整自在に装着された支持板とからなるユニット支持脚と、（Ｂ）該ユニット支持脚上部に装着して用いられ、断熱材を直接支持するための側方に突出する断熱材支持部を有し、且つ、上記ユニット支持脚を介して高さ調整される係止具と、（Ｃ）上記ユニット支持脚により支持される長方形及び／又は正方形の床パネルと、（Ｄ）上記床パネルとは別体のプラスチック発泡体からなり、且つ、端縁部所定箇所に上記ユニット支持脚の支持板の形状の一部に対応する形状の切欠き部及び／又は凹部が形成された板状の断熱材とから構成されることを特徴とする断熱二重床ユニット。
【請求項２】
前記係止具が、所定箇所に雌ネジ部が形成された円筒部と、該円筒部の外周面よりも側方に拡張するように突設された断熱材支持部とから成り、上記円筒部の雌ネジ部を前記支持ボルトに螺合することによって高さ調整自在に装着されることを特徴とする請求項１に記載の断熱二重床ユニット。
【請求項３】
前記係止具が、断面略コ字状の掛止部と、該掛止部の両先端部が横方向に折曲された形状の断熱材支持部とから成り、該断熱材支持部が下方に位置するように上記掛止部を前記支持板上に掛止することを特徴とする請求項１に記載の断熱二重床ユニット。
【請求項４】
前記断熱材支持部が下方への押圧力に抗して上方に付勢するような弾力性を備えていることを特徴とする請求項１乃至３のいずれか一項に記載の断熱二重床ユニット。
【発明の詳細な説明】
【０００１】
【発明の属する技術分野】
本発明は、戸建住宅、集合住宅等の各種建物において既存の基礎床面との間に空間を形成して断熱二重床を施工する際に用いる断熱二重床ユニットに関する。
【０００２】
【従来の技術】
二重床は、複数枚の床パネル（床板材）を、基礎床に配置した複数の支持脚によって一定の高さに支持するようにして構築されており、例えば特開平３−１７３４８号や実開平４−１１６５３７号に、棒状脚部と該棒状脚部の上端部に上下調節可能に装着された受け板とからなるユニット支持脚群と、定尺の長方形及び／又は正方形の床パネル群とを組み合わせて用いる乾式二重床の施工方法が開示されている。
従来知られているユニット支持脚の一例は図１３に示すとおりであり、ゴム、合成樹脂等の比較的硬質の弾性材料からなる接床基台１０２と該基台１０２に回動自在に立設された支持ボルト１０４とからなる棒状脚部と、外周略中央部に側方に突設された環状の支持部１０９を有するレベル調整用ナット１０８と、中央部に上記レベル調整用ナット１０８の上部が嵌合される挿入孔１１１を有する正方形又は長方形の支持板１１０とから構成されている。
【０００３】
支持ボルト１０４は、下端から上方に所定距離離間した位置外周面に側方に突出する環状の鍔部１０５が一体に設けられ、かつ鍔部１０５より上部にはネジ部が形成され、また支持ボルト１０４の頂端面には回転用工具先端を嵌め込むための溝部１０７が形成されている。そして、支持ボルト１０４の基端丸棒部１０６を上記接床基台１０２の中央孔１０３に嵌挿することにより、支持ボルト１０４は鍔部１０５を支持部として接床基台１０２に回動自在に立設された状態となる。一方、レベル調整用ナット１０８は支持板１１０の挿入孔１１１に嵌合され、その上部を拡開することによって、支持板１１０に強固に取り付けられる。それと共に、レベル調整用ナット１０８の上部には接着剤溜り１１３が形成される。このようにして支持板１１０の挿入孔１１１に嵌合されたレベル調整用ナット１０８に支持ボルト１０４のネジ部上端部をねじ込むことによって、図１３に示すようにユニット支持脚１０１が組み立てられる。
このような構造のユニット支持脚１０１は、支持ボルト１０４の頂端面の溝部１０７にドライバー等の回転用工具の先端を嵌め込んで支持ボルト１０４を回転させることにより、レベル調整用ナット１０８が上下動し、支持板１１０により支持されている床パネルの床面レベルを調整することができる。
【０００４】
以上のようにして組み立てられたユニット支持脚１０１を用いて二重床を構築する場合の施工例は、例えば図１４に示すように、まず部屋壁又は間仕切１２１の所定の高さに沿って際根太（又は根太ユニット）１２２を設け、その上に床パネル１２３の一辺を支持する。際根太に接しない床パネル１２３の他の端縁部は、所定のピッチで基礎床（コンクリートスラブ）１２０上に配置したユニット支持脚１０１に片持たせの状態で載せて取り付ける。ユニット支持脚１０１と床パネル１２３の取付は、ユニット支持脚１０１の支持板１１０上面に貼着した両面粘着シート１１２等を介して行い、床パネル敷設時に床パネル１２３を両面粘着シート１１２に圧着して仮固定しておく。ユニット支持脚１０１の支持板１１０の挿入孔１１１は床パネル１２３の端縁部から露出した状態とし、この挿入孔１１１を通してドライバー等により支持ボルト１０４を回し、床パネル１２３のレベル（又は支持板１１０の上面位）を調節する。
【０００５】
隣合う床パネルも同様に、既に設置したユニット支持脚１０１上へ床パネル１２３のレベル調整ができる所定の間隙を開けて載せ、同様に他のユニット支持脚１０１を配置して取り付ける。このような作業を床パネルごと繰り返し、床パネルを所定面積施工し、必要に応じて床面レベルを調整した後、床パネル１２３からユニット支持脚１０１の支持板１１０に対して釘打ちし、床パネル１２３をユニット支持脚１０１に固定し、また支持ボルト１０４上部の接着剤溜り１１３から接着剤を注入し、レベル調整用ナット１０８と支持ボルト１０４との間を接着・固定する。その後、必要に応じて床パネル１２３の上に捨張り合板１２４を敷設するか、あるいは隣接する床パネル間の間隙を覆うように比較的剛性のある粘着テープを貼着した後、ＣＦシート、絨毯、畳、木質フロアー材、タイルカーペット等の床仕上げ材（図示せず）を敷設し、作業を完了する。
【０００６】
【発明が解決しようとする課題】
以上説明したように施工することによって二重床が構築されるが、近年、屋内の断熱性や遮音性の改善が求められており、床にも断熱性及び遮音性を付与するために、床構造にグラスウール、押出しポリスチレンフォーム、ビーズ法ポリスチレンフォーム、発泡ウレタン等の断熱・遮音材を設けることが提案されている。例えば、本出願人も、ユニット支持脚の支持板上に根太材及び断熱材を配置し、その上に床パネルを載置する施工例を既に提案している（特開平７−３０５４４２号）。しかしながら、この方法の場合、例えばユニット支持脚上にその支持板より幅狭の根太材を配置し、根太間に断熱材を架け渡して配置した後、床パネルを敷設するものであるが、二重床の施工に根太材が必要となり、施工性や施工コストの点で難点がある。
【０００７】
一方、断熱材一体型のパネル材としては、実開平３−２５７０７号に、断熱材からなる芯材の少なくとも一側面に構造用積層材を張り合わせた耐力パネル構造が提案されている。この耐力パネル構造は、家屋の壁板に用いることを主目的としているが、床板にも採用できると教示されている。
しかしながら、根太材を用いる場合にはそれ程大きな問題は生じないと考えられるが、発泡ウレタン等の断熱材を芯材として用いたこのようなパネル材を、前記したようなユニット支持脚により支持される二重床の床パネルとして用いた場合、歩行の繰り返しや物の載置等によって長年荷重を受けることにより、例えば芯材の一側面に構造用積層材が積層された構造では、ユニット支持脚により支持される部分の発泡ウレタンの収縮が大きく、また芯材の両側面に構造用積層材を積層した構造でも全体的に発泡ウレタンが収縮し、床面の区域によって収縮率に差が生じる。そのため、隣合う床パネル間に段差が生じたり、また部分的に床面が沈み込んだり、一様な床面レベルを長年月にわたって維持できないなどの問題がある。
また、断熱性、遮音性は、床下全体に断熱・遮音材を設けることで発揮され、前記のようなユニット支持脚により床パネル端縁部を支持する構造の二重床のように隣接する床パネル間に間隙があると、その効果は著しく減少してしまう。
【０００８】
従って、本発明の目的は、断熱性及び遮音性に優れ、前記したようなユニット支持脚により容易に敷設することができ、しかも歩行の繰り返しや物の載置等により長年荷重を受けても隣合う床パネル間の段差の発生や床面の沈み込み等の問題がなく、一様な床面レベルを長年月にわたって維持できる二重床を簡単にかつ安定して構築できる断熱二重床ユニットを提供することにある。
【０００９】
【課題を解決するための手段】
前記目的を達成するために、本発明によれば、（Ａ）接床基台と、該基台に回動自在に立設された支持ボルトと、該支持ボルトの上部に螺合されたレベル調整用ナットを介して高さ調整自在に装着された支持板とからなるユニット支持脚と、（Ｂ）該ユニット支持脚上部に装着して用いられ、断熱材を直接支持するための側方に突出する断熱材支持部を有し、且つ、上記ユニット支持脚を介して高さ調整される係止具と、（Ｃ）上記ユニット支持脚により支持される長方形及び／又は正方形の床パネルと、（Ｄ）上記床パネルとは別体のプラスチック発泡体からなり、且つ、端縁部所定箇所に上記ユニット支持脚の支持板の形状の一部に対応する形状の切欠き部及び／又は凹部が形成された板状の断熱材とから構成されることを特徴とする断熱二重床ユニットが提供される。
【００１０】
前記したような断熱二重床ユニットを用いた断熱二重床の施工方法は、基礎床の床面上に複数のユニット支持脚を床パネルの形状に応じた所定のピッチで配置し、床パネルをその端縁部が上記ユニット支持脚の支持板により支持されるように架け渡して所定の高さレベルに敷設する二重床の床下地の施工に際して、側方に突出する断熱材支持部を有する係止具を上記ユニット支持脚の上部に装着し、このユニット支持脚を基礎床の床面上に所定のピッチで配置した後、端縁部所定箇所に上記ユニット支持脚の支持板の形状の一部に対応する形状の切欠き部及び／又は凹部が形成された板状の断熱材を、対向するユニット支持脚に装着された係止具の上記断熱材支持部により端縁部が支持されるように、かつ断熱材の上記切欠き部及び／又は凹部がユニット支持脚の支持板と嵌め合わされるように架け渡して配置し、その後、上記断熱材の上に床パネルをその端縁部が上記ユニット支持脚の支持板により支持されるように敷設する。
好適には、前記断熱材の端縁部を、前記係止具の断熱材支持部とユニット支持脚の支持板又はその上に固定される床パネルとの間で挟持させる。
【００１１】
【発明の実施の形態】
本発明の断熱二重床ユニットを用いた断熱二重床の施工は、基本的には、前記したような複数のユニット支持脚群と床パネル群を用い、所定のピッチで基礎床面上に配置された相対するユニット支持脚の支持板間（壁又は間仕切り際においてはユニット支持脚の支持板と際根太又は根太ユニットの根太部材との間）に床パネルを架け渡して所定の高さレベルに敷設し、二重床の床下地を施工する際に、側方に突出する断熱材支持部を有する係止具を用い、この係止具をユニット支持脚の上部に、上記断熱材支持部がユニット支持脚の支持板の下方所定の高さ位置で横方向に拡張するように取り付け、相対する断熱材支持部間に板状の断熱材を架け渡して配置し、その後、床パネルを上記のように敷設するものである。従って、断熱材の取付けを極めて簡単に、かつ施工性良く行うことができる。
【００１２】
前記断熱材としては、充分な耐久性や断熱性、遮音性を示すような半硬質又は硬質プラスチック発泡体であれば全て使用でき、好ましくは独立気泡型又は半独立気泡型の発泡ウレタンや、ビーズ法ポリスチレンフォーム、押出しポリスチレンフォームなどが好適に使用でき、特に強度及び遮音性の点からは発泡ウレタンが好ましい。このようなプラスチック発泡体は、かなり強い圧縮強さを有すると共に、断熱性、遮音性の他、防虫性、耐候性等にも優れ、また吸湿性が無く、長期にわたってそれらの性質はほとんど変化しない。また、軽量であり、切断、穴あけ等の加工もし易いので、取扱い性の点からも有利である。
このような断熱材を床パネルの下に設置することにより、断熱性の高い二重床となるばかりでなく、遮音性にも優れた二重床となる。なお、断熱材上面と床パネル下面との間には隙間があってもよいが、これらを密接した状態で設置することにより、子供の飛び跳ね、重量物の落下等により床パネルに衝撃が加わっても、床パネルの振動をその下に密接して配置されている断熱材によって吸収することができ、床衝撃音の階下や隣室への伝播を効果的に防止することができる。
【００１３】
前記係止具の構造及びユニット支持脚への取付けは種々の態様で行うことができるが、より具体的な好適な態様においては、前記係止具が、所定箇所に雌ネジ部が形成された円筒部と、該円筒部の外周面よりも側方に拡張するように突設された断熱材支持部とから成り、上記円筒部の雌ネジ部を前記支持ボルトに螺合することによって高さ調整自在に装着する。この取付態様の場合、上記断熱材支持部とユニット支持脚の支持板との間で、断熱材の端縁部所定箇所を挟持することになる。なお、円筒部の長さは、所望の断熱材の厚さに応じて変えることができる。
【００１４】
別の好適な態様においては、前記係止具が、断面略コ字状の掛止部と、該掛止部の両先端部が横方向に折曲された形状の断熱材支持部とから成り、該断熱材支持部が下方に位置するように上記掛止部を前記支持板上に掛止する。より簡単な構造の係止具はＬ型金具であり、一方の平板部の端部をユニット支持脚の支持板に釘、ビス等で固定して用い、他方の平板部を断熱材支持部として利用する。これらの場合には、上記断熱材支持部と床パネルとの間で、断熱材の端縁部所定箇所を挟持することになる。
さらに好適には、前記断熱材支持部が下方への押圧力に抗して上方に付勢するような弾力性を備えている係止具を用い、断熱材上面が常に床パネル下面に密接するように構成する。このような弾力性は、例えばバネ部材等の他の部材によって付与することもでき、あるいは断熱材支持部自体を弾力性が発揮されるような構造とすることもできる。
【００１５】
【実施例】
以下、添付図面に示す実施例を説明しつつ本発明についてさらに具体的に説明する。
図１は、ユニット支持脚１の支持ボルト２０に本発明の一実施例の係止具５０が高さ調整自在に装着された組立状態を示している。
ユニット支持脚１は、接床基台１、該接床基台に回動自在に立設された支持ボルト２０、該支持ボルトの上部に螺合されるレベル調整用ナット３０及び該レベル調整用ナットが装着される支持板４０とから構成されている。
【００１６】
接床基台１０はゴム、合成樹脂等の比較的硬質の弾性材料から作製されて、コンクリートスラブの基礎床１２０の床面にジャストフィットし、かつ防振の機能を果たすようにされている。接床基台１０は、大径の円形基部１１と該基部１１の略中央部に突設された受け部１２とから成り、該受け部１２には、支持ボルト２０の下端部に形成された鍔部２１を挿入するための凹部１３が形成されている。そして、上記受け部１２の凹部１３周囲の壁部内側上端縁には、内側に若干突出した係合部１４が形成されている。この係合部１４は、支持ボルト２０の鍔部２１を凹部１３内に押え、支持ボルト２０の鍔部２１が凹部１３から簡単に抜け出ないように作用する。なお、接床基台１０の下面には、遮音性をさらに向上させるために、環状、半球状、円筒状等の任意の形状の複数の突起を形成することもできる。
【００１７】
一方、金属製の支持ボルト２０は、下端部に側方に突出する環状の鍔部２１が成形されていると共に、略上半部外周面にネジ部２２が形成され、また上端部は小径部２３に形成され、その頂端面にはドライバー等の回転用工具の先端を嵌め込むためのマイナス溝２４（プラス溝や多角形凹陥部でもよい）が形成されている。
なお、支持ボルト２０は中実の支持ボルト又は中空パイプから作製された中空支持ボルトのいずれでもよい。中空支持ボルトの場合、接床基台１０の中心部に上下貫通孔を設け、あるいはさらにその下面に上記貫通孔から放射状（例えば十文字状）に延びる溝部を形成し、上方からの接着剤注入によって、接着剤が中空支持ボルト内を流下し、さらに上記溝部内に浸透し、接床基台１０を基礎床１２０に接着させるように構成することもできる。また、小径部２３を、円筒状だけでなく、その外周面及び内周面を六角状に絞り成形したり、内周面のみが六角状となるように絞り成形し、六角レンチ等の回転用工具の先端を嵌め込めるようにすることもできる。これらの場合、頂端面の溝２４は形成しても形成しなくてもよいが、形成した場合には六角レンチとドライバーの両方が使用可能となる。
【００１８】
金属製のレベル調整用ナット３０は、図１に示すように、上記支持ボルト２０のネジ部２２の径と対応する内径の内周ネジ部を有する雌ネジ部３１と、該雌ネジ部３１の内径よりも大きな内径の上部の円筒部３２とから成り、該円筒部３２の略中間部に側方に突出する環状の支持部３３が座屈成形により形成されている。また、雌ネジ部３１の内周ネジ部には、ネジ山を切断するように軸線方向に１本又は複数本の溝（図示せず）が形成されている。なお、この溝は雌ネジ部３１の内周ネジ部の上端から下方の所定位置までネジ山の一部を切断するように形成してもよく、内周ネジ部の上端から下端にかけて貫通した溝を形成してもよい。但し、レベル調整用ナット３０内に注入する接着剤のタレを防止するためには、溝の長さを内周ネジ部の上端から下端近傍までに止めて、非貫通の溝とすることが好ましい。また、レベル調整用ナット３０の溝に代えて、あるいはそれに加えて、支持ボルト２０のネジ部２２の上端部に軸線方向に溝を形成してもよい。
【００１９】
上記レベル調整用ナット３０の支持板４０への取付けは従来通りでよい。すなわち、パーティクルボード、木質繊維板、合板等から作製された正方形又は長方形の支持板４０の挿入孔４１上部は面取りされて拡開され、挿入孔４１を除く支持板４０の上面全面には粘着層４３が形成されている。上記レベル調整用ナット３０はその支持部３３が支持板４０の下面に当接するまで該支持板４０の挿入孔４１に嵌合され、次いでその上部を拡開することにより、あるいはさらに支持板挿入孔４１の面取り部４２に部分的に埋没させることによって、支持板４０に強固に取り付けられる。それと共に、レベル調整用ナット３０の上部には接着剤溜り３４が形成される。前記したように、支持ボルト２０の上端部は小径部２３に形成されているため、接着剤溜り３４がより大きな空間となり、接着剤注入作業が容易となる。また、図１に示すように、レベル調整用ナット３０の円筒部３２の内径を雌ネジ部３１の内径よりも大きくすることにより、注入した接着剤が支持ボルト２０のネジ部２２とレベル調整用ナット３０の雌ネジ部３１の螺合部にスムーズに浸透し易くなるので好ましい。
【００２０】
一方、係止具５０は、下端部に前記支持ボルト２０のネジ部２２と螺合する雌ネジ部５２を有する円筒部５１と、該円筒部５１の上端から側方に拡張するように突設された環状の断熱材支持部５３とから成り、これらは金属、硬質プラスチック等から一体成形することができる。なお、円筒部５１の内径は、レベル調整用ナット３０の円筒部３２の外径よりも若干大きくなるように構成されている。
【００２１】
組立てに際しては、上記係止具５０を、予め、下端鍔部２１が接床基台１０の凹部１３内に回動自在に嵌め込まれた支持ボルト２０のネジ部２２に螺着しておく。その後、支持板４０に装着されたレベル調整用ナット３０の雌ネジ部３１を、支持ボルト２０のネジ部２２上部に螺合することにより、図１に示すように係止具５０を装着した状態にユニット支持脚１が組み立てられる。
このようにして組み立てられた本発明のユニット支持脚１を用い、その支持板４０によって床パネル１２３を支持した状態に床パネルの敷設を行う二重床の施工方法は、図１３及び図１４を参照して説明した従来の施工方法と同様であるが、床パネルの設置に先行して断熱材を設置する点において異なる。
以下、本発明の断熱二重床の施工に好適に用いることができる断熱材の実施例及びその施工方法について説明する。
【００２２】
図２及び図３は、図１に示す係止具５０を用いる場合に好適な板状の断熱材６０の一実施例を示しており、図２はその平面図、図３は側面図である。
この断熱材６０の一方の長辺側端縁部には所定の幅の上部段差部６１が形成され、さらにユニット支持脚１の支持ボルト２０が位置する箇所にはレベル調整ナット３０の支持部３３の外径と等しいか又は若干大きめのサイズの切欠き部６２が形成されていると共に、該切欠き部６２の周囲にユニット支持脚１の支持板４０の略半分に相当するサイズの凹部６３が形成されている。この凹部６３の形状は、用いる支持板４０の形状に応じて変えることができる。一方、他方の長辺側端縁部には上記上部段差部６１と合致する下部段差部６４が形成され、同様にユニット支持脚１が位置する箇所にはその支持板４０の残りの半分に概略相当するサイズの凹部６５が形成されている。上部段差部６１と凹部６３、６５の深さは、支持板４０の厚さと略同一である。
【００２３】
また、断熱材６０の一方の短辺側端縁部には上部段差部６６が、他方の短辺側端縁部には下部段差部６７が形成されている。これら段差部６６、６７の幅は、本実施例の場合、前記長辺側端縁部の段差部６１、６４の幅と同じであるが、異なっていてもよい。
従って、このような断熱材６０の一対のそれぞれの端縁部を、図１に示すように、上記凹部６３、６５がユニット支持脚１の支持板４０の下に嵌まり込むように係止具５０の断熱材支持部５３上に載置すると、図４に示すように、隣接する断熱材６０を隙間なく設置することができ、優れた断熱性及び遮音性が得られる。図４は、図２のＡ−Ａ線矢視方向の断面を示しており、隣接する断熱材６０の段差部同士（６１と６４、６６と６７）が重ね合わされることによって端縁部間に隙間を生ずることはなく、唯一の空隙部は切欠き部６２によって形成される孔だけであり、この孔を通してドライバー等の回転用工具先端を挿入し、床面レベルを調整することが可能となる。
【００２４】
断熱二重床の施工に際しては、基礎床１２０の床面上に所定のピッチで配置（又は接着）された相対するユニット支持脚１の係止具５０間に、前記のように断熱材６０をその端縁部所定箇所が断熱材支持部５３に載置されるように架け渡し、次いで、係止具５０を回して上昇させ、断熱材６０の凹部６３、６５がユニット支持脚１の支持板４０にぴったりと嵌まり込んだ状態に支持板４０と断熱材支持部５３との間で挟みつける。この際、断熱材６０の凹部６３、６５は支持板４０の位置決めガイドとして働くので、ユニット支持脚１の設置位置のピッチがずれることはなく、また隣接する断熱材６０の段差部同士が図４に示すように重なり合い、レベル調整用ナット３０の部分を除く床面全面に断熱材を敷設することが可能となる。なお、図５に示すように、前記ユニット支持脚１と同様に、下端部に接床基台（図示せず）が装着された１本又は複数本の支持ボルト１３１が所定長さの根太部材１３２に所定間隔で高さ調整自在に取り付けられた根太ユニット１３０を用いる場合にも、その支持ボルトに前記係止具５０を取り付け、根太ユニット１３０とユニット支持脚１との間に前記と同様にして断熱材６０を架け渡すことができる。根太ユニット１３０に代えて図１４に示すような際根太１２２を用いる場合には、Ｌ型係止具など適当な係止具を用いればよい。
【００２５】
図５に示すように所定面積だけ断熱材６０を敷設した後、その上に従来と同様にしてパーティクルボード、木質繊維板、合板等からなる床パネルを敷設し、ユニット支持脚１の支持板４０上面の粘着層４３により仮固定しておく。その後、従来と同様に床面レベルの調整を行った後、床パネル１２３をユニット支持脚１の支持板４０に対して釘打ち、ビス止め等（図示せず）により固定し、接着剤溜り３４（図１参照）から接着剤を注入してレベル調整用ナット３０と支持ボルト２０を接着・固定する。その後必要に応じて、隣接する床パネル間の間隙を覆うように比較的に剛性のある粘着テープを粘着するか、あるいは敷設した床全面にベニヤ板、木質繊維板等の捨張り材、制振・遮音性シート、面状ヒーター等を敷設した後、合成樹脂製クッションシート、絨毯、畳、タイルカーペット、フローリング（突板張り合板）、木質系化粧板等の床仕上げ材を施工する。
【００２６】
図６は、図１に示す係止具の変形例を示し、ユニット支持脚１の構成は図１に示すものと同様である。
この実施例の係止具５０ａは、雌ネジ部５２ａと断熱材支持部５３ａがコイルばね５４により接続されている点において図１に示す係止具５０と異なる。従って、支持ボルト２０のネジ部２２に螺着された雌ネジ部５２ａを回して上昇させることにより、断熱材支持部５３ａと支持板４０との間で断熱材６０の端縁部を弾力的に挟持することができる。
【００２７】
図７は、本発明の係止具の別の実施例を示し、ユニット支持脚の構成は図１に示すものと同様である。
この実施例の係止具５０ｂは、断面略コ字状の細長い掛止部５５の両先端部が側方に折曲されて断熱材支持部５６が形成された形状を有する。上記掛止部５５の中心部には、レベル調整用ナット３０の外径と略等しい直径の孔５７（図９参照）が穿設されている。また、断熱材支持部５６の折曲度は、図７に示すように、上記掛止部５５を支持板４０に引っ掛けて係止具５０ｂをユニット支持脚１に取り付けたときに、垂下している断熱材支持部５６の先端がやや斜め上方に向くように若干鋭角となっている。従って、上記断熱材支持部５６に断熱材６０ａの端縁部を載置したときにやや撓み、その上に敷設される床パネル１２３の下面に断熱材６０ａの端縁部を弾力的に押圧し、挟持するように構成されている。
【００２８】
図８は、図７に示す係止具５０ｂを用いる場合に好適な断熱材６０ａを示している。
この断熱材６０ａは、ユニット支持脚の設置位置に対応する長辺側端縁部所定箇所に、ユニット支持脚１の支持板４０の略半分の形状に対応するコ字状の切欠き部６８が形成されている。
従って、前記図７に示す係止具５０ｂと図８に示す断熱材６０ａを用いる場合、図９に示すように、隣接する断熱材６０ａの長辺側端縁と交叉するように、かつ掛止部５５の孔５７がレベル調整用ナット３０と整合するように係止具５０ｂをユニット支持脚１の支持板４０に取り付ける。そして、断熱材６０ａの切欠き部６８を支持板４０に嵌め合わせながら係止具５０ｂの断熱材支持部５６の上に載置する。従って、この場合には、ユニット支持脚１の支持板４０の部分を除く床面全面に断熱材６０ａが敷設されることになり、断熱性の点では図１に示す実施例に比べて多少劣るが、係止具５０ｂの構成が簡単で極めて安価に作製できるという利点がある。なお、支持板４０の上面の粘着層４３は、係止具５０ｂの掛止部５５が載置される部分以外の表面に設け、粘着層４３と係止部５５の表面がほぼ同一面となるようにすることが、その上に載置される床パネルの安定性の点からは好ましい。
【００２９】
図１０は、図７及び図９に示す係止具の変形例を示している。この係止具５０ｃの場合、全体的な形状は前記係止具５０ｂと類似しているが、掛止部５５の中心部に孔が形成されていない点において異なる。そのため、図１０に示すように、支持ボルト頂端面のマイナス溝２４が露出するように掛止部５５の位置をずらして支持板４０に掛止する。このような係止具５０ｃは、図１０に二点鎖線で示すように２本を平行に配列して用いることもできる。
【００３０】
図１１は、さらに別の形状の係止具５０ｄを示している。この係止具５０ｄの場合、掛止部５５の形状は図７及び図９に示すものと同様であるが、両端の断熱材支持部５６ａが長手方向と直交する両側方向に拡張されている点において異なる。この係止具５０ｄは、図１１に示すように、隣接する断熱材６０ａの長辺側端縁に沿って掛止部５５を支持板４０上に掛止する。なお、この係止具５０ｄの場合、支持板４０の挿入孔４１を除く全面に形成された粘着層４３を利用して、その表面から突出するように掛止部５５を接着・固定し、この突出した掛止部５５を床パネル敷設時の案内部として利用することもできる。
【００３１】
図１２は、前記図８に示す断熱材６０ａを用いる場合に利用可能なさらに別の実施例の係止具を示している。
この係止具５０ｅは、Ｌ型金具であり、ユニット支持脚１の支持板４０の両側端面にそれぞれ一方の平板部の端部を釘又はビス５９で固定して用い、他方の平板部が断熱材支持部５８として機能する。係止具５０ｅの幅は、支持板４０の幅以下の任意のサイズとすることができる。
【００３２】
以上、本発明の好適な実施例について説明したが、本発明はユニット支持脚に装着可能な係止具を用いて断熱材を簡便に敷設することをその本質的な特徴としており、前記実施例に限定されるものではなく、各種の設計変更が可能である。例えば図１に示す係止具５０において、厚目の断熱材を用いる場合には、円筒部５１をなくして雌ネジ部５２上端から断熱材支持部５３を側方に拡張させることもできるし、あるいは断熱材の厚さに応じて円筒部５１の長さを変えることもできる。また、ユニット支持脚や断熱材としても従来公知の各種のものを使用することができ、さらに断熱材の切欠きや凹部の形状等も使用するユニット支持脚の支持部の形状に応じて任意に変えることができる。
【００３３】
【発明の効果】
以上のように、本発明の断熱二重床ユニットによれば、二重床の床下地を施工する際に、側方に突出する断熱材支持部を有する係止具を用い、この係止具をユニット支持脚の上部に、上記断熱材支持部がユニット支持脚の支持板の下方所定の高さ位置で横方向に拡張するように取り付け、相対する断熱材支持部間に断熱材を架け渡して配置し、その後、床パネルを敷設するものであるため、断熱材の取付けを極めて簡単に、かつ施工性良く行うことができる。また、この際に用いる係止具は、その構造がシンプルであり、安価に作製することができ、しかもユニット支持脚への取付けも極めて簡単である。
さらに、本発明の断熱二重床ユニットを用いた施工方法によれば、従来のユニット支持脚と床パネルの組み合わせによる二重床の施工方法の利点、即ち、施工性、安定性、低施工コスト等の利点をそのまま保持して、断熱・保温性や遮音性に優れた断熱二重床を施工性良く構築でき、また、歩行の繰り返しや物の載置等によって長年荷重を受けても、隣合う床パネル間に段差が発生したり、床面の沈み込み等の問題がなく、一様な床面レベルを長年月にわたって維持できる。
【図面の簡単な説明】
【図１】  本発明の係止具を装着したユニット支持脚を用いて断熱材を敷設した状態を示す部分縦断側面図である。
【図２】  図１に示す係止具と共に用いる断熱材の一実施例を示す平面図である。
【図３】  図２に示す断熱材の側面図である。
【図４】  図２に示す断熱材を端縁部の重なり状態と共に示す図２のＡ−Ａ線矢視断面図である。
【図５】  図１に示す実施例のユニット支持脚及び断熱材の配置形態を示す部分平面図である。
【図６】  別の係止具を装着したユニット支持脚を用いて断熱材を敷設した状態を示す部分断面側面図である。
【図７】  さらに別の係止具を装着したユニット支持脚を用いて断熱材を敷設した状態を示す部分断面側面図である。
【図８】  図７に示す係止具と共に用いる断熱材の他の実施例を示す平面図である。
【図９】  図７に示す係止具と断熱材の取付態様を示す部分平面図である。
【図１０】  他の実施例の係止具と断熱材の取付態様を示す部分平面図である。
【図１１】  さらに他の実施例の係止具と断熱材の取付態様を示す部分平面図である。
【図１２】  さらに別の実施例の係止具をユニット支持脚の支持板に取り付けた状態を示す部分斜視図である。
【図１３】  従来のユニット支持脚の一例を示す部分断面側面図である。
【図１４】  従来のユニット支持脚を用いて床パネルまで施工した状態を示す破断斜視図である。
【符号の説明】
１，１０１  ユニット支持脚
１０，１０２  接床基台
２０，１０４  支持ボルト
３０，１０８  レベル調整用ナット
４０，１１０  支持板
５０，５０ａ，５０ｂ，５０ｃ，５０ｄ，５０ｅ  係止具
５１  円筒部
５２，５２ａ  雌ネジ部
５３，５３ａ，５６，５６ａ，５８  断熱材支持部
５４  コイルばね
５５  掛止部
６０，６０ａ  断熱材
６２，６８  切欠き部
６３，６５  凹部
１２０  基礎床
１２３  床パネル
【図１】
0003837216.tif 000002
【図２】
0003837216.tif 000003
【図３】
0003837216.tif 000004
【図４】
0003837216.tif 000005
【図５】
0003837216.tif 000006
【図６】
0003837216.tif 000007
【図７】
0003837216.tif 000008
【図８】
0003837216.tif 000009
【図９】
0003837216.tif 000010
【図１０】
0003837216.tif 000011
【図１１】
0003837216.tif 000012
【図１２】
0003837216.tif 000013
【図１３】
0003837216.tif 000014
【図１４】
0003837216.tif 000015